(57)【特許請求の範囲】
【請求項１】
主に遊技盤(7) に係わる制御を行う主制御手段(18)と、前記遊技盤(7) の裏側に、該遊技盤(7) に装着された遊技部品(8) 〜(12)を裏側から覆う裏カバー(15)とを備えた弾球遊技機において、前記主制御手段(18)は、前記裏カバー(15)の側壁(33)に沿って偏平状に形成された主制御基板ケース(31)と、該主制御基板ケース(31)に収納された主制御基板(30)とを備え、且つ前記側壁(33)の近傍で該側壁(33)に沿って上下方向に縦長状に配置して、前記裏カバー(15)の一側の保持手段(32)に裏側から前後方向に着脱自在に装着されており、前記保持手段(32)は、前記裏カバー(15)に一体に設けられ且つ主制御基板ケース(31)の前端側が裏側から着脱自在に嵌合する嵌合部(42)と、該嵌合部(42)に嵌合する主制御基板ケース(31)の後端側を係脱自在に係止する係止爪(43)とを備え、前記係止爪(43)は前記側壁(33)の一部に左右方向に弾性変形可能に一体に設けられ且つ後端側に操作部(49)を有することを特徴とする弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
従来のパチンコ機等の弾球遊技機では、遊技盤の裏側に、主制御基板ケース内に主制御基板を収納して成る主制御手段を備え、その主制御手段により、主に遊技盤側の遊技動作を制御するようにしている。
【０００３】
この主制御手段の配置形態としては、従来、遊技盤の裏側に、遊技盤側の遊技部品を裏側から覆う裏被覆手段を設け、この裏被覆手段の裏側に主制御手段を着脱自在に配置する形態と、裏被覆手段の側方で遊技盤の裏側に主制御手段を配置する形態と、裏被覆手段の下方で遊技盤の裏側に主制御手段を配置する形態とがある。
【０００４】
【発明が解決しようとする課題】
従来の配置形態では、次のような問題がある。即ち、裏被覆手段の裏側に主制御手段を配置する配置形態は、裏被覆手段の上下及び左右方向の寸法を大きくして被覆範囲を容易に確保できる利点がある。しかし、この配置形態では、裏被覆手段と主制御手段とが前後に重なるため、遊技盤から後方への突出量が大になり、裏被覆手段の深さを十分に確保できず、遊技盤に大型の、液晶表示手段やセンター役物等を配置することが困難である。
【０００５】
また裏被覆手段の側方又は下方に主制御手段を配置する配置形態では、遊技盤から後方への突出量を小さくでき、裏被覆手段の深さを容易に確保できる利点がある。しかし、この配置形態では、主制御手段と裏被覆手段とを遊技盤の裏側に左右又は上下に並べて配置するため、裏被覆手段の左右方向又は上下方向の寸法が主制御手段によって制約される欠点がある。
【０００６】
本発明は、このような従来の問題点に鑑み、主制御手段を配置するに際して、遊技盤から後方への突出量を小さくできると共に、裏被覆手段の上下、左右及び前後方向の寸法を十分に確保できる弾球遊技機を提供することを目的とする。
【０００７】
【課題を解決するための手段】
本発明は、主に遊技盤7 に係わる制御を行う主制御手段18と、前記遊技盤7 の裏側に、該遊技盤7 に装着された遊技部品8 〜12を裏側から覆う裏カバー15とを備えた弾球遊技機において、前記主制御手段18は、前記裏カバー15の側壁33に沿って偏平状に形成された主制御基板ケース31と、該主制御基板ケース31に収納された主制御基板30とを備え、且つ前記側壁33の近傍で該側壁33に沿って上下方向に縦長状に配置して、前記裏カバー15の一側の保持手段32に裏側から前後方向に着脱自在に装着されており、前記保持手段32は、前記裏カバー15に一体に設けられ且つ主制御基板ケース31の前端側が裏側から着脱自在に嵌合する嵌合部42と、該嵌合部42に嵌合する主制御基板ケース31の後端側を係脱自在に係止する係止爪43とを備え、前記係止爪43は前記側壁33の一部に左右方向に弾性変形可能に一体に設けられ且つ後端側に操作部49を有するものである。
【０００８】
【発明の実施の形態】
以下、本発明の実施形態を図面に基づいて詳細に説明する。図１〜図８は本発明の第１の実施形態を例示する。図１〜図３において、１  は遊技機本体で、外枠２  と、この外枠２  の前側に上下一対のヒンジ３  により開閉自在に枢着された前枠４  とを備えている。
【０００９】
前枠４  には、ガラス扉５  と前面板６  とが開閉自在に上下に配置され、またガラス扉５  に対応して遊技盤７  が着脱自在に装着されている。遊技盤７  は、その前側に液晶表示手段８  、大入賞手段９  、普通入賞手段１０、特別図柄始動手段１１、普通図柄始動手段１２等の複数個の遊技部品を備え、前枠４  の裏側の遊技盤装着枠１３に裏側から着脱自在に嵌合され、裏機構板１４により裏側から押圧されて固定されている。
【００１０】
液晶表示手段８  には、特別図柄表示手段１６と普通図柄表示手段１７とが設けられている。特別図柄表示手段１６は、特別図柄始動手段１１が遊技球を検出することを条件に１個又は複数個の特別図柄が所定時間変動し、普通図柄表示手段１７は、普通図柄始動手段１２が遊技球を検出することを条件に１個又は複数個の普通図柄が所定時間変動するようになっている。
【００１１】
遊技盤７  の裏側には、液晶表示手段８  、大入賞手段９  等の遊技部品を覆う略矩形箱状、その他の所定形状の裏カバー１５と、この裏カバー１５の左右方向の一側面に配置され且つ主に遊技盤７  側に係わる制御を行う主制御手段１８とが装着されている。前面板６  には、発射用の遊技球を貯留する上皿１９が装着され、また前枠４  の下部に、余剰球を貯留する下皿２０と、発射手段２１の発射ハンドル２２とが装着されている。
【００１２】
裏機構板１４は、ヒンジ３  側の上下一対のヒンジ２３により、遊技盤装着枠１３に開閉自在に枢支され、左右両側の複数個の締結具２４により遊技盤装着枠１３に締結されている。裏機構板１４には、遊技盤７  の裏カバー１５が嵌合する開口部２５が中央部に形成され、この開口部２５の上側に遊技球タンク２６及びタンクレール２７が、左右一側に払い出し手段２８が、下側に通路ユニット２９が夫々設けられている。裏カバー１５、主制御手段１８は、その後部側が裏機構板１４の開口部２５から後方へと突出している。なお、裏カバー１５により裏被覆手段が構成されている。裏カバー１５には、その内部の遊技盤７  側の遊技部品の修理等が可能なように開閉部、開口部を設けても良いし、また放熱用のスリットや孔を設けても良い。
【００１３】
通路ユニット２９は、払い出し手段２８から払い出された遊技球を上皿１９等に案内する賞球案内通路（図示省略）、裏カバー１５内の入賞球を島側の回収系に案内する入賞球案内通路（図示省略）等を備えている。
【００１４】
主制御手段１８は、図４〜図８に示すように、主に遊技盤７に係わる遊技動作の制御を行う主制御基板３０と、この主制御基板３０を収納する偏平な主制御基板ケース３１とを備え、主制御基板３０が遊技盤７  に対して略直角となるように、裏カバー１５の側壁３３の近傍でその側壁３３に沿って上下方向に縦長状に配置され、裏カバー１５の一側の保持手段３２に裏側から着脱自在に装着されている。
【００１５】
主制御基板３０には、ＣＰＵ、ＲＯＭ、ＲＡＭ等を構成する制御用のＩＣ、その他の電子部品３４ａ  が装着されると共に、その後端縁に沿って長手（上下）方向に複数個のコネクタ３５が装着されている。
【００１６】
主制御基板ケース３１は、裏カバー１５の側壁３３に沿って偏平な縦長矩形状であって、内部の主制御基板３０側を透視可能な合成樹脂製の複数個のケース体、例えば裏カバー１５の側壁３３側に配置された偏平な第１ケース体３６と、所定の深さを有し且つ裏カバー１５の側壁３３と反対側に配置された第２ケース体３７とを開閉可能に結合して構成され、その両ケース体３６，３７  間に、裏カバー１５の側壁３３に沿うように主制御基板３０が介在されている。
【００１７】
主制御基板ケース３１は、裏カバー１５の側壁３３の上下方向の寸法と略同一程度か、又は側壁３３の上下方向の寸法よりも若干短い程度であり、その後端側が裏カバー１５の後端と略同一程度か、又は後端よりも若干前方に位置する程度になっている。なお、主制御手段１８の後端は、裏カバー１５の後端よりも若干後方に突出させても良い。
【００１８】
第２ケース体３７には、その一部が主制御基板３０の後部側に近接又は当接するように凹部３８があり、この凹部３８に開口３９が形成されている。そして、主制御基板３０側のコネクタ３５は、裏カバー１５と反対側に突出するように凹部３８の開口３９に嵌合している。コネクタ３５には、主制御基板３０を遊技盤７  、その他の所要部位と接続するリード線４０のコネクタ４１が着脱自在に接続されている。なお、主制御基板３０には、上下方向の両端側に、これを開封したときに痕跡が残るように封止手段３４が設けられている。
【００１９】
保持手段３２は、主制御手段１８の少なくとも一部、即ち主制御基板ケース３１の前端側が裏側から着脱自在に嵌合する嵌合部４２と、この嵌合部４２に嵌合する主制御基板ケース３１の後端側を係脱自在に係止する係止爪４３とを備えている。
【００２０】
嵌合部４２は、裏カバー１５の前端から側方に突出し且つ遊技盤７  の裏側に当接する受け板４４と、この受け板４４の周囲に形成されたコの字状の嵌合壁４５とを一体に備え、裏カバー１５の側壁３３に沿って上下方向に長い縦長状に設けられている。裏カバー１５の側壁３３及び嵌合壁４５には、主制御手段１８を容易に着脱し得るように、嵌合部４２の内側に補強兼案内用の１個又は複数個のリブ４６，４７  が前後方向に設けられている。
【００２１】
なお、嵌合壁４５は、例えば各辺毎に複数個に分割しても良い。また嵌合壁４５を複数個に分割して設ける場合には、主制御基板ケース３１をガタツキなく保持できるように、その嵌合壁４５を内外方向に弾性変形可能に構成しても良い。更に嵌合部４２は、主制御基板ケース３１の前部側を取り囲む複数個の突起により構成することも可能である。
【００２２】
係止爪４３は上下方向に一対あり、裏カバー１５の側壁３３の一部に、左右方向に弾性変形可能に一体に設けられ、後端側に係合部４８と操作部４９とが設けられている。なお、操作部４９は、裏カバー１５の後端よりも後方に突出している。
【００２３】
裏機構板14の下部側には、通路ユニット29の裏側に対応する取り付け板50が前枠4 、遊技盤7 等と略平行に設けられている。取り付け板50は、払い出し手段28を制御する払い出し制御手段51、発射手段21を制御する発射制御手段52、遊技盤7 側の各遊技部品等に組み込まれたランプを発光制御するランプ制御手段54、効果音発生用のスピーカを制御する音声制御手段55、所要部位に制御手段18,51,52,54,55等を介して電源を供給する電源手段53が、保持手段56〜60を介して裏側から着脱自在に装着されている。なお、取り付け板50を使用せず、裏機構板14に直接保持手段56〜60を設けても良い。
【００２４】
払い出し制御手段５１、発射制御手段５２、電源手段５３、ランプ制御手段５４、音声制御手段５５は、例えば内部を透視可能な合成樹脂製の偏平なケース６１〜６５内に所定の基板６６〜７０を夫々収納したものである。払い出し制御手段５１、発射制御手段５２、電源手段５３は左右方向に所定間隔を置いて、またランプ制御手段５４、音声制御手段５５は上下方向に所定間隔を置いて取り付け板５０の裏側に夫々並設され、各基板６６〜７０が遊技盤７  、取り付け板５０等に対して略直角となるように配置されている。
【００２５】
払い出し制御手段５１、発射制御手段５２は、遊技機本体１  側の払い出し手段２８、発射手段２１を制御する本体側制御手段を構成するもので、図７及び図８に示すように、保持手段５６，５７  を介して取り付け板５０に装着されている。保持手段５６，５７  は、ケース６１，６２  の前側が嵌合する縦長枠状の嵌合部７１，７２  と、この嵌合部７１，７２  の一側から後方に突出する案内兼用の保護壁７３，７４  と、この保護壁７３，７４  の上下方向の中間部分に一体に形成された係止爪７５，７６  とを備えている。
【００２６】
係止爪７５，７６  は左右方向に弾性変形可能であり、後端側に係止用の係合部７７，７８  と離脱用の操作部７９，８０  とが設けられている。操作部７９，８０  は、保護壁７３，７４  の後端よりも後方に突出している。
【００２７】
電源手段５３、ランプ制御手段５４及び音声制御手段５５も、払い出し制御手段５１、発射制御手段５２と同様に、嵌合部、保護壁、係止爪を備えた保持手段を介して取り付け板５０に着脱自在に装着されている。
【００２８】
なお、各制御手段５１，５２，５４，５５  の基板６６，６７，６９，７０  、及び電源手段５３の基板６８は、機能別に夫々独立して設けられ、遊技機本体１  の裏側に別々に配置されている。また払い出し制御手段５１、ランプ制御手段５４、音声制御手段５５等は、リード線等を介して主制御手段１８に適宜接続されている。各制御手段５１，５２，５４，５５  、電源手段５３の後端は、主制御手段１８の後端と略同程度の位置にある。
【００２９】
上記構成の弾球遊技機において、主制御手段１８を装着する場合には、主制御基板ケース３１内に主制御基板３０を収納した後、主制御基板ケース３１の前側を裏カバー１５の側壁３３に沿って嵌合部４２に裏側から挿入して行く。そして、主制御基板ケース３１の前側が受け板４４に当接すると、係止爪４３の係合部４８が主制御基板ケース３１の第１ケース体３６の後端側に係合し、これによって主制御手段１８を保持手段３２により固定できる。
【００３０】
主制御手段１８を取り外す場合には、係止爪４３の操作部４９を裏カバー１５側に押圧すると、係合部４８が主制御基板ケース３１の第１ケース体３６から外れるので、その状態で主制御基板ケース３１を嵌合部４２から後方に抜き取れば良い。
【００３１】
このように主制御手段１８を裏カバー１５の側面に配置することにより、全体の後方への突出量を小さくできる。従って、裏カバー１５の裏側に主制御手段１８を配置する場合に比較して、裏カバー１５の前後方向の寸法、即ち深さを大にでき、遊技盤７  から裏側への突出量の大きい液晶表示手段８  やセンター役物等であっても、その液晶表示手段８  等を遊技盤７  に容易に装着することが可能である。
【００３２】
また主制御手段１８が裏カバー１５の側面にあるため、裏カバー１５の側方に所定の間隔をおいて主制御手段１８を配置する場合に比較して、裏カバー１５の左右方向の寸法を大きくすることができ、裏カバー１５の被覆範囲を容易に確保できる。勿論、裏カバー１５の上下方向の寸法も確保できる。
【００３３】
特に主制御手段１８は、裏カバー１５の側壁３３に沿って偏平な主制御基板ケース３１内に主制御基板３０を収納し、その主制御基板３０が遊技盤７  に対して略直角で各裏カバー１５の側壁３３に沿うように配置しているため、主制御手段１８が裏カバー１５の側面にあるにも拘わらず、その専有面積を少なくできる。
【００３４】
更に主制御手段１８は、保持手段３２の嵌合部４２に対して裏側から前後方向に着脱する構造であるため、裏機構板１４により遊技盤７  を固定した状態のままで、その裏機構板１４の裏側から容易に着脱できる。従って、主制御手段１８の検査、点検等を容易にできる。
【００３５】
また主制御手段１８には、その凹部３８側でコネクタ３５にリード線４０のコネクタ４１を接続するが、主制御基板ケース３１内の主制御基板３０が裏カバー１５の側壁３３に沿ってその近傍にあるため、主制御基板３０のコネクタ３５に対するコネクタ４１の接続が容易であると共に、主制御基板ケース３１内で裏カバー１５と反対側に主制御基板３０がある場合に比べて、リード線４０の外側への大きな張り出しを防止できる。
【００３６】
なお、受け板４４側に対基板コネクタを設け、主制御基板ケース３１を嵌合部４２に嵌合させることにより、主制御基板３０側のコネクタが受け板４４側の対基板コネクタに挿入され、主制御基板３０を各部に対して自動的に接続できるようにしても良い。
【００３７】
主制御手段１８は保持手段３２により裏カバー１５の側面に沿って着脱自在に保持しているが、その保持手段３２の嵌合部４２に主制御手段１８の少なくとも一部を嵌合させているので、係止爪４３等で主制御基板ケース３１を係止する簡単な係止構造を採用しながらも、主制御手段１８を確実に安定良く装着できる。
【００３８】
主制御基板ケース３１は、裏カバー１５の側壁３３に沿っているため、この裏カバー１５によって主制御手段１８を保護でき、主制御手段１８に対して左右方向の外力が作用し難く、また仮に外力がかかった場合でも、主制御手段１８、保持手段３２の損傷等を未然に防止できる。
【００３９】
払い出し制御手段５１を取り付け板５０に装着する場合には、そのケース６１を保持手段５６の裏側から嵌合部７１に挿入して、係止爪７５でケース６１を固定する。また払い出し制御手段５１を取り外す場合には、係止爪７５を操作して係合部７７をケース６１から外した後、ケース６１を嵌合部７１から後方に抜き取れば良い。なお、他の発射制御手段５２、電源手段５３、ランプ制御手段５４、音声制御手段５５を着脱する場合も同様である。
【００４０】
払い出し制御手段５１等の装着に当たっても、そのケース６１の前部側を保持手段５６の嵌合部７１に嵌合させた状態で、そのケース６１の後端側を係止爪７５で係止しているので、主制御手段１８側と同様に容易に着脱でき、また取り付け板５０に対して安定良く装着できる。
【００４１】
しかも各制御手段５１，５２，５４，５５  、電源手段５３は、その基板６６〜７０が遊技盤７  に略直角方向となるように装着しているので、基板６６〜７０が取り付け板５０と平行になるように設ける場合に比較して、複数個の制御手段５１，５２，５４，５５  等を少ない専有空間で効率的に配置できる。各保持手段５６〜６０に保護壁７３，７４  があり、この保護壁７３，７４  で各制御手段５１，５２，５４，５５  等を保護できるため、各制御手段５１，５２，５４，５５  の倒れ等を容易に防止できる。
【００４２】
図９は本発明の第２の実施形態を例示し、裏カバー１５の側壁３３を傾斜状に形成し、保持手段３２の嵌合部４２及び係止爪４３をその側壁３３の傾斜に合わせて設け、保持手段３２に対して主制御手段１８を裏側から着脱可能にしたものである。
【００４３】
この場合には、主制御手段１８、取り分けその主制御基板３０は、遊技盤７  に対して若干傾斜するが、第１の実施形態と同様の効果を奏する。また主制御手段１８は、その後部側が裏カバー１５の左右方向の中央側に寄るように傾斜するため、主制御手段１８の後端側が裏カバー１５よりも若干後方に突出するような場合でも、裏機構板１４のヒンジ２３廻りの開閉時に、開口部２５の口縁が主制御手段１８と干渉し難くなり、裏機構板１４側の開口部２５の大きさを小さくできると共に、その開閉を容易にできる。
【００４４】
図１０及び図１１は本発明の第３の実施形態を例示し、裏カバー１５にその側壁３３よりも内側に保持手段３２を設け、この保持手段３２に主制御手段１８を後方から着脱自在に装着するようにしたものである。
【００４５】
裏カバー１５には、嵌合部４２を有する保持手段３２が側壁３３よりも内側に凹入するように形成され、係止爪４３が側壁３３側に形成されている。保持手段３２は、嵌合部４２の前端と遊技盤７  との間に所定の間隔ができ、保持手段３２が遊技盤７  側から後方に突出する遊技部品８２と干渉しないように、裏カバー１５の深さ方向の途中から後方側に設けられている。
【００４６】
このように保持手段３２は、その前部又は一部が裏カバー１５の被覆範囲と重なるように設けても良い。この場合、保持手段３２を裏カバー１５の深さ方向の途中から後方側に設け、保持手段３２と遊技盤７  との間に所定の間隔を確保することにより、仮に遊技盤７  側の保持手段３２と前後に対応する箇所に遊技部品８２があっても、その遊技部品８２との干渉を容易に防止できる。
【００４７】
以上、本発明の各実施形態について詳述したが、本発明はこの各実施形態に限定されるものではない。例えば、裏被覆手段として単一構造の裏カバー１５を例示したが、裏被覆手段は遊技盤７  の裏側に装着された遊技部品８  〜１２等を覆うものであれば良い。また裏被覆手段は、遊技盤７  から分離して裏機構板１４側に設けても良いし、その形状、構造も、遊技盤７  側の遊技部品８  〜１２の配置等を考慮して適宜決定すれば良い。
【００４８】
主制御手段１８は、裏カバー１５の左右方向の側壁３３に沿って配置する他、裏カバー１５の上側壁３３に沿って上側面に配置するか、又は下側壁３３に沿って下側面に配置することも可能である。主制御手段１８は、保持手段３２を介して裏カバー１５に装着できる構造であれば良く、裏カバー１５に対して左右方向の側方又は上下方向の側方から着脱するようにしても良い。主制御手段１８を前後方向に着脱する場合、各保持手段３２は、主制御手段１８の着脱が可能な構造であれば十分であり、必ずしも各実施形態に例示のような構造にする必要はない。
【００４９】
保持手段３２，５６  〜６０の嵌合部４２，７１，７２は、ケース３１，６１  〜６５の前後方向の寸法の半分が嵌合する程度、又は前後方向の寸法の略全体が嵌合する程度の深さにしても良い。また後方に突出する突起等の凸部により嵌合部４２，７１，７２を構成し、この嵌合部４２，７１，７２が嵌合する凹部をケース３１，６１  〜６５の前端側に設けても良い。従って、保持手段３２，５６  〜６０の嵌合部４２，７１，７２は、ケース３１，６１  〜６５が相対的に嵌合する構造であれば、凸構造、凹構造の何れでも良い。
【００５０】
払い出し制御手段５１、発射制御手段５２等は、その基板６６〜７０を個々のケース６１〜６５内に収納する構造にしているが、基板６６〜７０を取り付け板５０に後方から着脱自在に装着する構造とし、その装着状態の基板６６〜７０を１個又は２個程度の共通なケースで覆うようにしても良い。
【００５１】
また払い出し制御手段５１、発射制御手段５２等のケース６１〜６５を基板６６〜７０に沿って偏平な矩形箱状に構成し、そのケース６１〜６５内に基板６６〜７０を収納して取り付け板５０の裏側に配置する場合、各基板６６〜７０はその長手方向が遊技盤７  、取り付け板５０等に沿い、且つ幅方向が遊技盤７  、取り付け板５０等に対して略直角方向又は交差方向となるように配置すれば良い。
【００５２】
更に実施形態では、本体側制御手段として、払い出し手段２８を制御する払い出し制御手段５１、発射手段２１を制御する発射制御手段５２を例示しているが、これら以外の本体側制御手段を設けても良い。払い出し制御手段５１等に対応する保持手段５６〜６０の構造も適宜変更可能である。その他、本発明はパチンコ機、アレンジボール機、雀球遊技機等の各種の弾球遊技機において同様に実施可能である。
【００５３】
【発明の効果】
本発明では、主に遊技盤7 に係わる制御を行う主制御手段18と、遊技盤7 の裏側に、該遊技盤7 に装着された遊技部品8 〜12を裏側から覆う裏カバー15とを備えた弾球遊技機において、主制御手段18は、裏カバー15の側壁33に沿って偏平状に形成された主制御基板ケース31と、該主制御基板ケース31に収納された主制御基板30とを備え、且つ側壁33の近傍で該側壁33に沿って上下方向に縦長状に配置して、裏カバー15の一側の保持手段32に裏側から前後方向に着脱自在に装着されており、保持手段32は、裏カバー15に一体に設けられ且つ主制御基板ケース31の前端側が裏側から着脱自在に嵌合する嵌合部42と、該嵌合部42に嵌合する主制御基板ケース31の後端側を係脱自在に係止する係止爪43とを備え、係止爪43は側壁33の一部に左右方向に弾性変形可能に一体に設けられ且つ後端側に操作部49を有するので、遊技盤7 から後方への突出量を小さくできると共に、裏カバー15の上下、左右及び前後方向の寸法を大きく確保できる利点がある。
【図面の簡単な説明】
【図１】本発明の第１実施形態を示す弾球遊技機の正面図である。
【図２】本発明の第１実施形態を示す弾球遊技機の側面図である。
【図３】本発明の第１実施形態を示す弾球遊技機の背面図である。
【図４】本発明の第１実施形態を示す主制御手段側要部の斜視図である。
【図５】本発明の第１実施形態を示す主制御手段側要部の断面図である。
【図６】本発明の第１実施形態を示す主制御手段側要部の断面図である。
【図７】本発明の第１実施形態を示す払い出し制御手段等の要部の断面図である。
【図８】本発明の第１実施形態を示す払い出し制御手段等の要部の斜視図である。
【図９】本発明の第２実施形態を示す主制御手段側要部の断面図である。
【図１０】本発明の第３実施形態を示す主制御手段側要部の背面図である。
【図１１】本発明の第３実施形態を示す主制御手段側要部の断面図である。
【符号の説明】
１      遊技機本体
７      遊技盤
８      液晶表示手段
９      大入賞手段
１０    普通入賞手段
１１    特別図柄始動手段
１２    普通図柄始動手段
１４    裏機構板
１５    裏カバー（裏被覆手段）
１８    主制御手段
２１    発射手段
２８    払い出し手段
３０    主制御基板
３１    主制御基板ケース
３２    保持手段
４２    嵌合部
５１    払い出し制御手段
５２    発射制御手段
５６，５７      保持手段
７１，７２      嵌合部
【図１】
0003569189.tif 000002
【図２】
0003569189.tif 000003
【図３】
0003569189.tif 000004
【図４】
0003569189.tif 000005
【図５】
0003569189.tif 000006
【図６】
0003569189.tif 000007
【図７】
0003569189.tif 000008
【図８】
0003569189.tif 000009
【図９】
0003569189.tif 000010
【図１０】
0003569189.tif 000011
【図１１】
0003569189.tif 000012